(57)【要約】【課題】把持部が細くて持ち易く、上面の操作部が操作可能状態になる遠隔操作装置を提供する。【解決手段】筐体２は一方に向けて幅狭となる４以上の外面２ａ、２ｂ、２ｃ、２ｄを含む。筐体２の狭端部側には把持部４が設けられ、広端部側の複数の外面２ａ、２ｂ、２ｃ、２ｄにはそれぞれ操作部３、３、３、３が設けられる。鉛直方向に向けて揺動することが可能なシャフト１６先端に設けられたリモコン送信素子８は、筐体２内の広端部側に鉛直方向に向けて移動するよう設けられている。リモコン送信素子８は、外面２ａ、２ｂ、２ｃ、または２ｄのいずれか一つの操作部３の操作により遠隔操作信号を送信する。【選択図】図１
2009284431.tif 000002
【特許請求の範囲】
【請求項１】
遠隔操作信号を送信する遠隔操作装置において、
一方に向けて幅狭となる４以上の外面を含む筐体と、
該筐体の狭端部側に設けられた把持部と、
前記筐体の広端部側の複数の外面にそれぞれ設けられた操作部と、
前記筐体内の広端部側にて鉛直方向に向けて移動するよう設けられており、前記複数の操作部のうち、いずれか一つの操作部の操作により前記遠隔操作信号を送信する送信部と
を備えることを特徴とする遠隔操作装置。
【請求項２】
前記筐体の外面から突出する複数の突部を備え、
前記操作部は前記外面から突出する長さが前記突部より短い操作ボタンを含む
ことを特徴とする請求項１に記載の遠隔操作装置。
【請求項３】
前記筐体内にて鉛直方向に向けて揺動することができるよう前記送信部が先端部に設けられたシャフトと、
該シャフトの鉛直方向の動きに基づいて前記複数の操作部のいずれか一つを操作可能状態に切り替えるスイッチと
を備えることを特徴とする請求項１又は２に記載の遠隔操作装置。
【請求項４】
前記筐体内にて鉛直方向に向けて揺動することができるよう前記送信部が先端部に設けられたシャフトと、
前記操作部の内面側に設けられており、前記複数の操作部のいずれか一つを操作可能状態に切り替えるスイッチと、
前記シャフトの一端部に設けられており、前記スイッチを作動させる作動部と、
前記シャフトの他端部に設けられた重錘と
を備えることを特徴とする請求項１又は２に記載の遠隔操作装置。
【請求項５】
前記筐体内の広端部側に設けられ、前記シャフトの移動を案内するガイド孔が形成されたガイド部
を備えることを特徴とする請求項３又は４のいずれか一つに記載の遠隔操作装置。
【請求項６】
前記ガイド部は、
筐体の各内面に向かう複数の頂部を有するガイド孔が形成されている
ことを特徴とする請求項５に記載の遠隔操作装置。
【請求項７】
一の頂部から筐体内面までの距離が、他の頂部から筐体内面までの距離よりも短い
ことを特徴とする請求項６に記載の遠隔操作装置。
【発明の詳細な説明】
【技術分野】
【０００１】
本発明は複数の機器を遠隔操作する遠隔操作装置に関する。
【背景技術】
【０００２】
テレビ及びＤＶＤ(Digital Versatile Disc)機器等の各種機器には、通常、遠隔操作装置が付属している。当該遠隔操作装置により各種機器を遠隔から操作することができる。テレビまたはＤＶＤ等の各種機器に係る複数の遠隔操作装置の存在は煩雑であるため、一つの遠隔操作装置にまとめた多様な遠隔操作装置が利用されている。
【０００３】
多様な遠隔操作装置は操作部の全面に多くの操作ボタンを配置しており、把持して操作する場合、手に隠れる操作ボタンがあり、また希望の操作ボタンまで指が届かず、持ち直しが生じる場合がある。このため使用頻度の高い基本操作ボタンのみを外面に配置し、使用頻度の低い操作ボタンを遠隔操作装置の開閉可能な蓋体内に収容して、基本操作を行い易くしたものがある。しかし希望する操作ボタンが蓋体内に収容されている場合、さらに操作ボタンが探し難いものとなっている。
【０００４】
このような遠隔操作装置の希望の操作ボタンの探し難さと、持ち換え操作の煩雑さとを改善するため、特許文献１に示す提案がある。特許文献１に示す例では、四角筒状の筐体の両端面を除く周面の各外面を操作機器ごとの操作部として操作ボタンを設け、筐体内に操作時、上面となる操作部のみを操作可能とするセレクタ機構を一方の端面に設けており、他方の端面に遠隔操作信号を送信する赤外線発射部を設けている。セレクタ機構は、一方の端面に回動可能な中心軸が略水平に軸支された偏心重錘で、筐体内の内周面をなす四つの内面に各配設された切り換えスイッチを押すようになっている。
【特許文献１】実開平３−５１５９５号公報
【発明の開示】
【発明が解決しようとする課題】
【０００５】
しかしながら従来の特許文献１のような遠隔操作装置では、筐体が四角筒状であるため、手で持ち難く、操作部の切り換えスイッチを四個必要としており、操作性に問題があった。
【０００６】
本発明は、かかる事情に鑑みてなされたものであり、その目的とするところは、筐体の先端を先細りとし、操作部を上面にするだけで操作部の切り換えが可能とすることにより、把持部が細くて持ち易く、上面の操作部が操作可能状態になる遠隔操作装置を提供することにある。
【課題を解決するための手段】
【０００７】
本発明に係る遠隔操作装置は、遠隔操作信号を送信する遠隔操作装置において、一方に向けて幅狭となる４以上の外面を含む筐体と、該筐体の狭端部側に設けられた把持部と、前記筐体の広端部側の複数の外面にそれぞれ設けられた操作部と、前記筐体内の広端部側にて鉛直方向に向けて移動するよう設けられており、前記複数の操作部のうち、いずれか一つの操作部の操作により前記遠隔操作信号を送信する送信部とを備えることを特徴とする。
【０００８】
本発明に係る遠隔操作装置は、前記筐体の外面から突出する複数の突部を備え、前記操作部は前記外面から突出する長さが前記突部より短い操作ボタンを含むことを特徴とする。
【０００９】
本発明に係る遠隔操作装置は、前記筐体内にて鉛直方向に向けて揺動することができるよう前記送信部が先端部に設けられたシャフトと、該シャフトの鉛直方向の動きに基づいて前記複数の操作部のいずれか一つを操作可能状態に切り替えるスイッチとを備えることを特徴とする。
【００１０】
本発明に係る遠隔操作装置は、前記筐体内にて鉛直方向に向けて揺動することができるよう前記送信部が先端部に設けられたシャフトと、前記操作部の内面側に設けられており、前記複数の操作部のいずれか一つを操作可能状態に切り替えるスイッチと、前記シャフトの一端部に設けられており、前記スイッチを作動させる作動部と、前記シャフトの他端部に設けられた重錘とを備えることを特徴とする。
【００１１】
本発明に係る遠隔操作装置は、前記筐体内の広端部側に設けられ、前記シャフトの移動を案内するガイド孔が形成されたガイド部を備えることを特徴とする。
【００１２】
本発明に係る遠隔操作装置は、前記ガイド部は、筐体の各内面に向かう複数の頂部を有するガイド孔が形成されていることを特徴とする。
【００１３】
本発明に係る遠隔操作装置は、一の頂部から筐体内面までの距離が、他の頂部から筐体内面までの距離よりも短いことを特徴とする。
【００１４】
本発明にあっては、筐体は一方に向けて幅狭となる４以上の外面を含む。筐体の狭端部側には把持部が設けられ、広端部側の複数の外面にはそれぞれ操作部が設けられる。筐体内の広端部側にて鉛直方向に向けて移動する送信部は、筐体内の広端部側に鉛直方向に向けて移動するよう設けられている。送信部は、複数の操作部の内、いずれか一つの操作部の操作により遠隔操作信号を送信する。
【００１５】
本発明にあっては、筐体の外面からは複数の突部が突出している。操作部は操作ボタンを有する。当該操作ボタンの外面から突出する長さは、突部より短い。
【００１６】
本発明にあっては、シャフト先端部には送信部が設けられる。当該シャフトは、筐体内にて鉛直方向に向けて揺動することができるよう設けられている。スイッチは、シャフトの鉛直方向の動きに基づいて複数の操作部のうちいずれか一つを操作可能状態に切り替える。
【００１７】
本発明にあっては、シャフト先端部には送信部が設けられる。当該シャフトは、筐体内にて鉛直方向に向けて揺動することができるよう設けられている。スイッチは、操作部の内面側に設けられており、複数の操作部のいずれか一つを操作可能状態に切り替える。シャフトの一端部には、スイッチを作動させる作動部が設けられ、これに対向するシャフトの他端部には重錘が設けられる。従って重力の作用によりシャフト一端の作動部がスイッチを作動させる。
【００１８】
本発明にあっては、筐体内の広端部側に、シャフトの移動を案内するガイド孔が形成されたガイド部が設けられる。ガイド部はガイド孔に沿うシャフト、及び、該シャフトに設けられる送信部の移動を案内する。
【００１９】
本発明にあっては、ガイド部には、筐体の各内面に向かう複数の頂部を有するガイド孔が形成されている。従って、シャフトは重力の作用によりガイド孔の頂部へ向かう。
【００２０】
本発明にあっては、ガイド孔における一の頂部から筐体内面までの距離が、他の頂部から筐体内面までの距離よりも短い。従って、いずれかの外面の操作部に係る遠隔操作信号は、他の外面の操作部に係る遠隔操作信号よりも異なる角度で送信される。
【発明の効果】
【００２１】
本発明の遠隔操作装置は、一方に向けて幅狭となる外面を有し、また、鉛直方向を検知して上面の操作部を操作可能状態に切り替えるスイッチを備えているので、把持部が細くて持ち易い。また、多くの操作部を各面に設けたとしても、操作可能な操作部は限定されていることから、ユーザの操作性がより向上するという効果を有する。
【発明を実施するための最良の形態】
【００２２】
以下、図面に基づき、本発明による遠隔操作装置の好適な実施の形態を説明する。
（実施の形態１）
図１は実施の形態１に係る遠隔操作装置を把持した状態を示す斜視図、図２は遠隔操作装置を台に載置した状態を示す斜視図、図３は遠隔操作装置の内部構成を示す図２のＩＩＩ−ＩＩＩ部分断面図、図４は遠隔操作装置におけるガイド台のガイド部を示す概略正面図、図５は遠隔操作装置のブロック図である。実施の形態１に係る遠隔操作装置は、四角錐台状の樹脂製の筐体２を有し、筐体２の四外面の内の一外面を略水平にして、狭端部側を把持することができる把持部４にしている。
【００２３】
親指の付け根又は手の平等で隠れる把持部４の箇所には操作部たる操作ボタン５が設けられておらず、親指又は人差し指等の先が到達可能な広端部側の領域に複数の操作ボタン５が設けられている。なお、本実施の形態においては筐体２の形状を四角錐台形状であるものとして説明するがこれに限るものではない。筐体２は４以上の偶数多角形状であればよく、例えば六角錐台形状であっても良い。また、本実施の形態においては四角錐先端を切り落とした四角錐台形状としているが、この形状に限るものではない。先端形状は適宜の形状とすればよく、例えば、先端部を安全性の面から半球状としても良い。
【００２４】
筐体２は４つの外面２ａ、２ｂ、２ｃ、２ｄ（以下、場合により２００で代表する）により側面が形成され、外面２００の幅が広くなる広端部にて、カバー７により矩形状の上面が形成され、外面２００の幅が狭くなる狭端部にて矩形状の蓋４ｂにより下面が形成される。外面２００は把持部４に向けて幅狭となる台形状をなしている。外面２００、２００はそれぞれの長辺にて相互に接合している。なお、外面２００、２００の接合部分について丸みを帯びさせても良い。遠隔操作装置の筐体２の四外面２ａ、２ｂ、２ｃ、２ｄに、遠隔操作装置の各操作部３が機能分けして設けられている。
【００２５】
例えば筐体２の外面２ａにテレビ用の操作部３が設けられており、反対側の外面２ｄにハードディスクレコーダ、ＤＶＤレコーダ等の録画再生機器用の操作部３が設けられている。一方の側面である外面２ｂにＣＳ(Communication Satellite)テレビ用の操作部３が設けられており、反対側の側面である外面２ｄにアンプ用の操作部３が設けられている。把持部４側の筐体２内に電源の電池４ｃを収容した電池ボックス４ａが設けられており、筐体２の狭端部下面には取り外し可能な電池ボックス４ａの蓋４ｂが取り付けられている。蓋４ｂは外側に丸みを帯びた凸状になっている。なお、本実施の形態においては外面２００の全ての面に操作部３が設けられているが、少なくとも２面以上の外面２００、２００に操作部を設ければよい。
【００２６】
筐体２の太くなった広端部側に、遠隔操作信号である赤外線信号を送信するリモコン送信素子（送信部）８が、外側に向けて設けられている。筐体２の広端部の先端には赤外線を透過する樹脂製で四角板状のカバー７が取り付けられている。リモコン送信素子８は、可動になっており、カバー７の裏面に対向している。カバー７は、リモコン送信素子８が所定の曲率半径で移動した場合でも、リモコン送信素子８の先端とカバー７裏面との距離が同じになるように、外側に少し湾曲している。
【００２７】
各外面２ａ、２ｂ、２ｃ、２ｄの四隅に各操作ボタン５の突出高さよりも少し高い突部９が複数突出している。遠隔操作装置の一の操作部３を下側にしてテーブル等に載置した場合、突部９が筐体２の外面２ａ、２ｂ、２ｃ、または、２ｄを支持すると共に、下側に位置する操作部３の操作ボタン５が、テーブル等の載置面に当たらないようになっている。なお、突部９は四個形成されているが、筐体２を三点支持できるように三個形成していてもよい。突部９は、操作ボタン５がテーブル等の載置面に当たらず、筐体２を支持できるものであれば、突部９の個数及び形態に制限されない。
【００２８】
筐体２の各外面２ａ、２ｂ、２ｃ、２ｄの裏面側、即ち筐体２内の四つの各内面側に操作ボタン５・・の押圧によりオン・オフするスイッチ素子６ａ、６ｂ、６ｃ、６ｄ（図３及び図５を参照、スイッチ素子６と総称する）をそれぞれ実装した各基板１０ａ、１０ｂ、１０ｃ、１０ｄ（基板１０と総称する）が、それぞれ固定配設されている（図３及び図４を参照）。
【００２９】
操作ボタン５と反対側の基板１０の各裏面には、筐体２の外面の操作部３を操作可能にする切替スイッチ１３が、それぞれ備えられている。例えば、筐体２の外面２ａの操作部３を操作可能に切り替える基板１０ａにおける切替スイッチ１３ａは、一方の固定接点１４ａに一端部１２ａが固定され、他端部が可動片１２ｂとなっている金属製の細長い板ばねである。可動片１２ｂは他方の固定接点１４ｂに向かって湾曲して形成されている。なお、基板１０ｂに切替スイッチ１３ｂ、基板１０ｃに切替スイッチ１３ｃ、基板１０ｄに切替スイッチ１３ｄが、それぞれ備えられている。
【００３０】
例えば切替スイッチ１３ａの略中央部が押され、押圧状態が維持された場合、可動片１２ｂが固定接点１４ｂに圧接するようになっている。切替スイッチ１３ａの押圧状態が解除された場合、板ばねの付勢力により、可動片１２ｂが固定接点１４ａから離れ、切替スイッチ１３ａが切れるようになっている。
【００３１】
筐体２の内奥部に、一端部を切替スイッチ１３側に向け、他端部をカバー７側に向けたシャフト１６が鉛直方向に向けて揺動することができるよう備えられている。切替スイッチ１３の略中央部を押圧可能なスイッチの作動部である円盤状の打鍵部１７が、シャフト１６の一端部に同軸に形成されている。打鍵部１７の位置から少し他端部側寄りに、シャフト１６を同心に貫通させた球状の揺動支点１８が、固着されている。揺動支点１８は支持部２０に揺動自在に支持されている。
【００３２】
支持部２０は矩形板状をしており、支持部２０の中央部に円筒状の保持部２１が形成されている。保持部２１の内周面に凹部２１ａが周設されている。凹部２１ａの内周面に揺動支点１８の球面の一部周面が摺接しており、保持部２１が揺動支点１８を保持している。支持部２０の長手方向の一端部２０ａは、筐体２の一方の内面に固着されており、長手方向の他端部２０ｂは、対向する他方の内面に固着されている。
【００３３】
シャフト１６の他端部の先端に、リモコン送信素子８が同軸に取り付けられている。リモコン送信素子８から少し筐体２の内奥側寄りの近傍に、打鍵部１７より大径の円柱状の重錘２２が、シャフト１６と同軸に固着されている。なお、重錘２２の位置はリモコン送信素子８の近傍に限定されず、例えば支持部２０の近傍で打鍵部１７の反対側にあってもよい。
【００３４】
遠隔操作装置は、シャフト１６の他端部を支持かつ案内することが可能な有蓋無底角錐台筒状のガイド台２４を筐体２内に備えている。ガイド台２４の狭端側の一端部には、正方形状のガイド部２４ａが蓋状に形成されており、他端部の周縁には、外側に鍔状に張り出したフランジ部２５が形成されている。ガイド台２４はガイド部２４ａを重錘２２よりも筐体２の内奥側になるように設けられている。
【００３５】
カバー７の裏面の周縁に沿い、筐体２の内側に四角枠１１が嵌着されており、四角枠１１の内周面に溝５ａが周設されている。ガイド台２４のフランジ部２５は、四角枠１１の溝５ａに嵌着されており、ガイド台２４は、角錐台筒状の筐体２内で略同心に固定配設されている。ガイド部２４ａの表面はカバー７に向かって少し湾曲しており、その曲率半径は、揺動支点１８の中心からガイド部２４ａの表面までの距離と略同寸法にしている。
【００３６】
ガイド部２４ａの中央部には、シャフト１６の移動範囲及び支持位置を決めるべく、シャフト１６を上下左右方向へ案内する略正方形状のガイド孔２６が形成されている。ガイド孔２６の対角線は、ガイド部２４ａまたは筐体２の断面視における対角線を略４５度回転させた対角線と重なるように形成されている。遠隔操作装置を水平な台上に載置した場合、ガイド孔２６の一方の対角線は鉛直方向を向き、他方の対角線は略水平方向を向くようにしている。
【００３７】
遠隔操作装置を略水平に把持した場合又は水平な台上に載置した場合、図４に示す例では、筐体２の外面２ａが上面の操作部３になっている。この場合、ガイド孔２６の頂部たる角部２６ｃ及び角部２６ａにより形成される一方の対角線が鉛直方向にあり、角部２６ｂ及び角部２６ｄにより形成される他方の対角線が水平方向となる。図６の例では、重力の作用により、シャフト１６の先端は、頂部２６ａにより支持される。ガイド孔２６の各角部２６ａ、２６ｂ、２６ｃ、２６ｄは、揺動支点１８と協動してシャフト１６を略水平方向に支持することが可能な位置に形成されており、シャフト１６の打鍵部１７は、シャフト１６が略水平になった場合、操作部３を操作可能にする基板１０ａの切替スイッチ１３ａの略中央部を押圧して、切替スイッチ１３ａをオンする。
【００３８】
筐体２のそれぞれの外面２ｂ、２ｃ、２ｄが上面の操作部３になることに対応して、それぞれの角部２６ｂ、２６ｃ、２６ｄがシャフト１６を略水平に支持するように形成されている。シャフト１６の打鍵部１７は、それぞれの外面２ｂ、２ｃ、２ｄの裏面側に配設されているそれぞれの基板１０ｂ、１０ｃ、１０ｄのそれぞれの切替スイッチ１３ｂ、１３ｃ、１３ｄを押圧することにより、それぞれの操作部３を操作可能にしている。
【００３９】
なお、ガイド孔２６の各角部２６ａ、２６ｂ、２６ｃ、２６ｄは、シャフト１６が嵌りやすいように、シャフト１６の直径より少し大径の直径にした半円状の孔にするのが好ましい。
【００４０】
外面２ａ、２ｂ、２ｃ、２ｄの各裏面側の基板１０ａ、１０ｂ、１０ｃ、１０ｄ（図３及び図４を参照）の切替スイッチ１３ａ、１３ｂ、１３ｃ、または、１３ｄ（図３及び図５を参照）が打鍵部１７によりオンとなった場合、乾電池４ｃの電圧が、各基板１０ａ、１０ｂ、１０ｃ、１０ｄにそれぞれ形成されている各制御回路１５ａ、１５ｂ、１５ｃ、または、１５ｄに印加される（図３及び図５を参照）。制御回路１５ａ、１５ｂ、１５ｃ、または１５ｄに電圧が供給された場合、制御回路１５ａ、１５ｂ、１５ｃ、または１５ｄはスイッチ素子６ａ、６ｂ、６ｃ、または６ｄの入力を受け付ける。制御回路１５ａ、１５ｂ、１５ｃ、または１５ｄはスイッチ素子６ａ、６ｂ、６ｃ、または６ｄの入力に応じた遠隔操作信号を生成し、生成した遠隔操作信号をリモコン送信素子８へ出力する。リモコン送信素子８は出力された遠隔操作信号をテレビまたは録画再生機器等に送信する。
【００４１】
例えば、シャフト１６が重力の作用により、角部２６ａに当接した場合、打鍵部１７が切替スイッチ１３ａをオンとする。切替スイッチ１３ａのオンにより、電源４ｃから制御回路１５ａに電圧が供給される。なお、この場合、他の制御回路１５ｂ、１５ｃ及び１５ｄには電圧が供給されない。外面２ａに形成された操作ボタン５が操作された場合、スイッチ素子６ａは操作ボタンに対応した操作信号を制御回路１５ａへ出力する。制御回路１５ａは操作信号に対応する遠隔操作信号をリモコン送信素子８へ出力する。
【００４２】
次に実施の形態１に係る遠隔操作装置の作用について説明する。
実施の形態１の遠隔操作装置では、把持部４を把持し、複数の操作部３から一の操作部３を選択して、例えば筐体２の外面２ａの操作部３を上面にした場合、シャフト１６の他端部側にある重錘２２に重力により鉛直方向の力が作用し（図３の矢印Ａを参照）、シャフト１６の一端部側の揺動支点１８を支点にしてシャフト１６が揺動する。シャフト１６の他端部側はガイド孔２６の周面を摺動して、ガイド部２４ａがシャフト１６の揺動を鉛直方向に案内する。シャフト１６は角部２６ａに嵌り、シャフト１６の一端部側の打鍵部１７が、切替スイッチ１３ａの略中央部を押圧する（図３の矢印Ｂを参照）。
【００４３】
角部２６ａがシャフト１６の他端部を支持し、打鍵部１７が切替スイッチ１３ａを押圧し、切替スイッチ１３ａがオンになった場合（図３の矢印Ｃを参照）、乾電池４ｃの電圧が基板１０ａに印加し、制御回路１５ａが待機状態になり（図３及び図５を参照）、上面の操作部３が操作ボタン５の押圧でリモコン操作可能になる。
上面の外面２ａで操作部３の操作ボタン５を押圧した場合、スイッチ素子６ａの操作信号が制御回路１５ａへ出力される。制御回路１５ａはスイッチ素子６ａから出力された操作信号に対応する遠隔操作信号をリモコン送信素子８へ出力する。リモコン送信素子８は赤外線に係る遠隔操作信号をテレビ等へ送信する。
【００４４】
遠隔操作装置の一の操作部３を上面にして水平な台上に載置した場合、把持した場合と同様に作用し、水平な台上で操作部３が若干斜め上向きになる。このとき、筐体２の突部９が筐体２下面と台との間隙を確保して、操作ボタン５が台に当たらない。
【００４５】
このような実施の形態１に係る遠隔操作装置では、操作部３を上面にするだけで、操作部３の切替スイッチ１３をオンにすることができ、操作部３の誤操作を防止することができる。したがって、実施の形態１に係る遠隔操作装置では、操作部切替専用のスイッチが各操作部において不要になる。さらに、把持又は台に載置して操作ボタン５の操作により、遠隔操作信号を略水平に送信することができ、信号の送受信性を良好に確保することができる。
【００４６】
また実施の形態１では、操作部３の切り替えに重錘２２を使用し、ガイド孔２６の周面にシャフト１６を摺接させて、シャフト１６の打鍵部１７でスイッチングしているので、操作部３の切り替えを速くすることができる。さらに筐体２が四角錐台状であるため、把持部４を把持した場合、送信方向が分かり易く、例えば暗い場所で送信方向を逆に向けて保持することが防止できる。また台上に載置したとき、操作部３が若干斜め上向きになるため、操作ボタン５が押しやすい。
【００４７】
なお、実施の形態１におけるガイド孔２６の対角線は、ガイド部２４ａの対角線に対して４５度回転させているが、４５度の回転でなくてもよく、一つの角部が鉛直方向に位置するようにしてあれば何ら差し支えない。
【００４８】
（実施の形態２）
次に実施の形態２について説明する。
実施の形態１に係るガイド部２４ａのガイド孔２６では、角部２６ｃを頂角とする二辺２８ｃ、２８ｄ及び角部２６ａを頂角とする二等辺三角形の二辺２８ａ、２８ｂを各同寸法にしているが、異なる寸法にしてもよい。
【００４９】
図６は実施の形態２に係るガイド部を示す概略正面図である。
なお、実施の形態１と実質的に同一又は対応する部材には同一符号を用いて、重複する詳細な説明は適宜省略し、以下の他の実施の形態についても同様とした。
実施の形態２におけるガイド部２４ｂは、シャフト１６を略水平に支持した実施の形態１におけるガイド孔２６の角部２６ａよりも、さらに略水平より下側でシャフト１６を支持するように、鉛直方向に長い菱形状のガイド孔２７に角部２７ａを下側に形成したものである。即ち、筐体２の外面２ａが上面の操作部３になることに対応して、ガイド孔２７の角部２７ａを頂角とする下向きの二等辺三角形状の二辺２８ａ、２８ｂが、ガイド孔２７の上側に位置する角部２７ｃを頂角とする上向きの二等辺三角形状の二辺２８ｃ、２８ｄよりも長く形成されている。筐体２のそれぞれの外面２ｂ、２ｃ、２ｄが上面の操作部３になることに対応して、それぞれの角部２７ｂ、２７ｃ、２７ｄがシャフト１６を略水平に支持するように形成されている。
【００５０】
このような実施の形態２におけるガイド部２４ｂでは、例えば筐体２の外面２ａを上面にした場合、シャフト１６の他端部は角部２７ａに嵌り、角部２７ａはシャフト１６を水平よりも下側にして支持する。
【００５１】
したがって、実施の形態２では、シャフト１６の先端のリモコン送信素子８を水平よりも下向きにして遠隔操作信号を送信することができる。例えば録画再生機器よりも上側にてテレビを設置している場合、テレビの受光部よりも下側に位置する録画再生機器の受光部に対応して、筐体２の外面２ａを録画再生機器の操作部３にすることができる。即ち、録画再生機器の操作部３を上面にして遠隔操作装置を台上に載置した場合、シャフト１６が略水平よりも下側の角部２７ａに嵌り、下側に位置している録画再生機器に遠隔操作信号を送信し易いようにできる。
【００５２】
図６の例においては、外面２ａ側に録画再生機器用の操作部３が設けられ、これに対向する外面２ｃ側にテレビ用の操作部３が設けられている。筐体２における外面２ａの内側は内面２ａ１であり、外面２ｂの内側は内面２ｂ１であり、外面２ｃの内側は内面２ｃ１であり、外面２ｄの内側は内面２ｄ１である。角部２７ａは近傍の内面２ｃ１に向かって形成されており、角部２７ｃは近傍の内面２ａ１に向かって形成されており、角部２７ｂは近傍の内面２ｄ１に向かって形成されており、角部２７ｄは近傍の内面２ｂ１に向かって形成されている。ここで、一の角部２７ａから近傍の内面２ｃ１までの距離ｌは、他の角部２７ｃから近傍の内面２ａ１までの距離Ｌよりも短い。同様に一の角部２７ａから近傍の内面２ｃ１までの距離ｌは、他の角部２７ｄから近傍の内面２ｂ１までの距離Ｌ、及び、他の角部２７ｂから近傍の内面２ｄ１までの距離Ｌよりも短い。これにより、シャフト１６は角部２７ｃへ案内される場合よりも、角部２７ａへより深く案内されることから、ユーザが意識せずとも、テレビよりも下側に設置される録画再生機器へ遠隔操作信号が送信される。
【００５３】
（実施の形態３）
次に実施の形態３について説明する。図７は実施の形態３に係るガイド部を示す概略正面図である。実施の形態３に係るガイド部２４ｃは正方形状をしており、ガイド部２４ｃの中央部に、シャフト１６の移動範囲及び支持位置を決める台形状のガイド孔２９が形成されている。
ガイド孔２９の対角線は、ガイド部２４ｃの対角線を略４５度回転させた対角線と重なるように形成されている。遠隔操作装置を水平な台上に載置した場合、ガイド孔２９の一方の対角線は鉛直方向を向き、他方の対角線は略水平方向を向くようにしている。
【００５４】
筐体２の外面２ｃが上面の操作部３になることに対応して、一方の角部２９ｃがシャフト１６を略水平に支持するように形成されている。このとき他方の角部２９ｄ及び角部２９ｂは略水平方向で対向している。他方の角部２９ａは、筐体２の外面２ａが上面の操作部３になることに対応して、角部２９ｃがシャフト１６を略水平に支持する位置より少し鉛直方向で下側になるように、形成されている。同様に、外面２ｄが上面の操作部３になることに対応して、角部２９ｄがシャフト１６を略水平よりも下側で支持するように形成されている。すなわち、実施の形態２または３で述べたように、一の角部２４ａから内面２ｃ１（図６参照）までの距離が他よりも短くなる角数は、１つまたは２つであってもよく、また３つであっても良い。
【００５５】
（実施の形態４）
次に実施の形態４について説明する。
図８は実施の形態４に係るガイド部を示す概略正面図である。
実施の形態４に係るガイド部２４ｄのガイド孔３１は、実施の形態１のガイド孔２６の周縁である各辺２８ａ、２８ｂ、２８ｃ、２８ｄからガイド孔２６の内側にそれぞれ劣弧状にせり出した凸部３０ａ、３０ｂ、３０ｃ、３０ｄが形成されたものであり、略十字状をしている。ガイド孔３１の内端部である各角部３１ａ、３１ｂ、３１ｃ、３１ｄはシャフト１６を略水平方向に支持する位置に形成されている。
【００５６】
このような実施の形態４に係るガイド部２４ｄでは、外面２ａが上面の操作部３から外面２ｂを上面の操作部３に変えた場合、角部３１ａに嵌っているシャフト１６がガイド孔３１の凸部３０ｂを摺動し、角部３１ｂに嵌る。
【００５７】
したがって、実施の形態４では、遠隔操作装置の操作部３を変えた場合、例えばシャフト１６が一方の角部３１ａから他方の角部３１ｂまで落下するように移動せず、緩やかに移動させることができ、衝撃音を小さくすることができる。また角部３１ｂを通り過ぎることなく、確実に角部３１ｂに嵌り、シャフト１６の打鍵部１７が切替スイッチ１３をチャタリングさせることがない。
【００５８】
（実施の形態５）
次に実施の形態５について説明する。
図９は実施の形態５に係るガイド部を示す概略正面図である。
実施の形態５に係るガイド部２４ｅは、シャフト１６を略水平に支持した実施の形態４におけるガイド孔３１の角部３１ａよりも、さらに水平よりも下側にシャフト１６を支持するように、ガイド孔３２に内端部である角部３２ａを鉛直方向の下側に深く形成したものであり、ガイド孔３２は略十字架状になっている。
ガイド孔３２の内端部である各角部３２ｂ、３２ｃ、３２ｄは、シャフト１６を略水平方向に支持する位置に形成されている。
【００５９】
このような実施の形態５におけるガイド部２４ｅでは、例えば筐体２の外面２ａを上面にした場合、シャフト１６の他端部は角部３２ａに嵌り、角部３２ａはシャフト１６を水平よりも下側にして支持する。
【００６０】
すなわち、図９の例においては、外面２ａ側に録画再生機器用の操作部３が設けられ、これに対向する外面２ｃ側にテレビ用の操作部３が設けられている。ガイド孔３２は各内面２ａ１、２ｂ１、２ｃ１及び２ｄ１に向かって角部３２ｃ、３２ｄ、３２ａ及び３２ｂが形成されている。ガイド孔３２は角部３２ｃ、３２ｄ間、角部３２ｄ、３２ａ間、角部３２ａ、３２ｂ間、及び、角部３２ｂ、３２ｃ間にガイド部中央付近に向かって凸部が弧上にせり出した略十字架形状をなしている。
【００６１】
角部３２ａは近傍の内面２ｃ１に向かって形成されており、角部３２ｃは近傍の内面２ａ１に向かって形成されており、角部３２ｂは近傍の内面２ｄ１に向かって形成されており、角部３２ｄは近傍の内面２ｂ１に向かって形成されている。ここで、一の角部３２ａから近傍の内面２ｃ１までの距離ｌは、他の角部３２ｃから近傍の内面２ａ１までの距離Ｌよりも短い。同様に一の角部３２ａから近傍の内面２ｃ１までの距離ｌは、他の角部３２ｄから近傍の内面２ｂ１までの距離Ｌ、及び、他の角部３２ｂから近傍の内面２ｄ１までの距離Ｌよりも短い。これにより、シャフト１６は角部３２ｃへ案内される場合よりも、角部３２ａへより深く案内されることから、ユーザが意識せずとも、テレビよりも下側に設置される録画再生機器へ遠隔操作信号が送信される。他の作用効果は実施の形態４と同様であるので詳細な説明を省略する。
【００６２】
（実施の形態６）
次に実施の形態６について説明する。
実施の形態１において、ガイド台２４は筐体２のカバー７近くに設けられていたが、実施の形態６では、揺動支点１８を支持する支持部２０が、ガイド台２４の機能を兼用している。重錘４４は揺動支点１８近くに位置するように、シャフト１６に取り付けられている。実施の形態６のその他の構成は実施の形態１と同様である。なお、重錘４４をリモコン送信素子８近傍に設けても良いことはもちろんである。
【００６３】
図１０は実施の形態６に係る遠隔操作装置の内部構成を示す部分断面図、図１１は遠隔操作装置におけるガイド部を示す概略正面図である。
支持部２０における円筒状の保持部２１には、打鍵部１７と反対側の一端部に、円盤状のガイド部４０が形成されている。ガイド部４０の中央部にはシャフト１６を上下左右方向に案内するガイド孔４２が形成されている。シャフト１６はガイド孔４２に挿通されている。ガイド部４０からリモコン送信素子８側へ少し離間して、重錘４４がシャフト１６と同軸に固着されている。
【００６４】
ガイド部４０の内周面に、シャフト１６の周面の一部が嵌り込むことが可能な弧状の凹部４２ａ、４２ｂ、４２ｃ、４２ｄが上下左右方向に形成されている。凹部４２ａ及び凹部４２ｃは鉛直方向で対向し、凹部４２ｂ及び凹部４２ｄは略水平方向で対向しており、凹部４２ａが鉛直方向で下側に位置している。各凹部４２ａ、４２ｂ、４２ｃ、４２ｄは、揺動支点１８と協動してシャフト１６を略水平方向に支持するように形成されている。シャフト１６の打鍵部１７は、シャフト１６が略水平になった場合、操作部３を操作可能にする切替スイッチ１３の略中央部を押圧して、切替スイッチ１３をオンするようになっている。
【００６５】
このような実施の形態６に係る遠隔操作装置では、把持部４を把持し、複数の操作部３から一の操作部３を選択して、遠隔操作装置を略水平にして、例えば筐体２の外面２ａの操作部３を上面にした場合、シャフト１６の第１重錘４４に重力により鉛直方向の力が作用し（図１０の矢印Ａ２を参照）、揺動支点１８を支点にして、シャフト１６が揺動してガイド部４０の周面を摺動する。ガイド部４０はシャフト１６の揺動を鉛直方向に案内し、シャフト１６が凹部４２ａに嵌り、シャフト１６の打鍵部１７が、切替スイッチ１３の略中央部を押圧する（図１０の矢印Ｂを参照）。
【００６６】
シャフト１６が凹部４２ａに嵌る場合、ガイド孔４２に摺接するシャフト１６部分の鉛直方向の移動距離が短く、衝突音も小さい。揺動支点１８及び凹部４２ａがシャフト１６を略水平に支持する。打鍵部１７が切替スイッチ１３ａを押圧した場合、切替スイッチ１３ａがオンになり（図１０の矢印Ｃを参照）、上面の操作部３が操作ボタン５の押圧でリモコン操作可能になる。
【００６７】
このように実施の形態６では、シャフト１６を案内するガイド部４０が、シャフト１６の揺動支点１８を支持する支持部２０の保持部２１に形成されているので、シャフト１６がガイド部４０の周面と衝突する移動距離を短くでき、重錘４４の鉛直方向への動きによるガイド部４０の周面とシャフト１６との衝突音を小さくすることができる。
【００６８】
なお、実施の形態６のガイド部４０の一方の凹部４２ａの凹み部分を深く形成することにより、実施の形態２等と同様の作用効果が得られる。
【００６９】
（実施の形態７）
次に実施の形態７について説明する。
実施の形態７ではガイド孔に遠隔操作装置の操作部３が上面かどうかを検知するセンサを設けたものである。
図１２は実施の形態７に係る遠隔操作装置のガイド部を示す概略正面図である。
実施の形態７におけるガイド部２４ｆは、実施の形態５のガイド部２４ｅと同様の構成であり、ガイド部２４ｆ以外のその他の構成は実施の形態１乃至６と同様である。
ガイド部２４ｆの角部３２ａ、３２ｂ、３２ｃ、３２ｄをそれぞれ両側から挟むように、ガイド部２４ｆの裏面側に、センサ６０ａ、６０ｂ、６０ｃ、６０ｄ（センサ６０と総称する）が設けられている。
【００７０】
各センサ６０ａ、６０ｂ、６０ｃ、６０ｄは、リモコン送信素子８に連結するシャフト１６がそれぞれの角部３２ａ、３２ｂ、３２ｃ、３２ｄに嵌ったことを検知し、オン信号を出力する。センサ６０は例えば光電スイッチであり、光が遮られた場合オン信号を出力する。実施の形態７に係る遠隔操作装置では、センサ６０ａ、６０ｂ、６０ｃ、及び６０ｄは、各センサ６０ａ、６０ｂ、６０ｃ、または６０ｄがオン信号を出力した場合、上面に位置する外面２ａ、２ｂ、２ｃ、または２ｄの各操作部３が操作可能となるよう予め配置されている。例えばセンサ６０ａがオン信号を出力した場合、上面と外面２ａの操作部３が操作可能となる。
【００７１】
図１３は実施の形態７に係る遠隔操作装置のブロック図である。各操作部３に係る制御回路１５ａ、１５ｂ、１５ｃ、１５ｄに対応づけてセンサ６０ａ及びスイッチ６００ａ、センサ６０ｂ及びスイッチ６００ｂ、センサ６０ｃ及びスイッチ６００ｃ、並びに、センサ６０ｄ及びスイッチ６００ｄが設けられている。センサ６０ａ、６０ｂ、６０ｃ、または６０ｄのいずれかが、シャフト１６を検出した場合、オン信号をスイッチ６００ａ、６００ｂ、６００ｃまたは６００ｄのいずれかに出力する。スイッチ６００ａ、６００ｂ、６００ｃまたは６００ｄはオン信号を受けてオフ状態からオン状態へ移行する。オン状態となった場合、乾電池４ｃの電圧が、各制御回路１５ａ、１５ｂ、１５ｃ、または、１５ｄに印加される。制御回路１５ａ、１５ｂ、１５ｃ、または１５ｄに電圧が供給された場合、制御回路１５ａ、１５ｂ、１５ｃ、または１５ｄはスイッチ素子６ａ、６ｂ、６ｃ、または６ｄの入力を受け付ける。制御回路１５ａ、１５ｂ、１５ｃ、または１５ｄはスイッチ素子６ａ、６ｂ、６ｃ、または６ｄの入力に応じた遠隔操作信号を生成し、生成した遠隔操作信号をリモコン送信素子８へ出力する。リモコン送信素子８は出力された遠隔操作信号をテレビまたは録画再生機器等に送信する。
【００７２】
例えば、シャフト１６が重力の作用により、角部３２ａに当接した場合、センサ６０ａがシャフト１６を検出する。センサ６０ａはオン信号をスイッチ６００ａへ出力する。スイッチ６００ａのオンにより、電源４ｃから制御回路１５ａに電圧が供給される。なお、この場合、他の制御回路１５ｂ、１５ｃ及び１５ｄには電圧が供給されない。外面２ａに形成された操作ボタン５が操作された場合、スイッチ素子６ａは操作ボタン５に対応した操作信号を制御回路１５ａへ出力する。制御回路１５ａは操作信号に対応する遠隔操作信号をリモコン送信素子８へ出力する。
【００７３】
したがって、実施の形態７では、操作部３を上面にするだけで、操作部３を操作可能にすることができ、リモコン送信素子８の向きを、例えばテレビの赤外線受光部の方向に変えることができる。
【００７４】
なお、光電スイッチに代えて、シャフト１６が各角部３２ａ、３２ｂ、３２ｃ、３２ｄに嵌った場合に、押圧されてオン動作するリミットスイッチにしてもよい。また実施の形態７では、ガイド部２４ｆとして実施の形態５のガイド部２４ｅを適用したが、実施の形態１から４までのガイド部２４ａ、２４ｂ、２４ｃ、２４ｄを適用してもよい。
【図面の簡単な説明】
【００７５】
【図１】実施の形態１に係る遠隔操作装置を把持した状態を示す斜視図である。
【図２】遠隔操作装置を台に載置した状態を示す斜視図である。
【図３】遠隔操作装置の内部構成を示す図２のＩＩＩ−ＩＩＩ部分断面図である。
【図４】遠隔操作装置におけるガイド台のガイド部を示す概略正面図である。
【図５】遠隔操作装置のブロック図である。
【図６】実施の形態２に係るガイド部を示す概略正面図である。
【図７】実施の形態３に係るガイド部を示す概略正面図である。
【図８】実施の形態４に係るガイド部を示す概略正面図である。
【図９】実施の形態５に係るガイド部を示す概略正面図である。
【図１０】実施の形態６に係る遠隔操作装置の内部構成を示す部分断面図である。
【図１１】遠隔操作装置におけるガイド部を示す概略正面図である。
【図１２】実施の形態７に係る遠隔操作装置のガイド部を示す概略正面図である。
【図１３】実施の形態７に係る遠隔操作装置のブロック図である。
【符号の説明】
【００７６】
２  筐体
２ａ、２ｂ、２ｃ、２ｄ  外面
３  操作部
４  把持部
８  リモコン送信素子（送信部）
１３、１３ａ、１３ｂ、１３ｃ、１３ｄ  切替スイッチ（スイッチ）
１６  シャフト
１７  打鍵部（作動部）
１８  揺動支点
２０  支持部
２２、４４、５０  重錘
２４ａ、２４ｂ、２４ｃ、２４ｄ、２４ｅ、２４ｆ、４０  ガイド部
２６、２７、２９、３１、３２、４２  ガイド孔
２６ａ、２６ｂ、２６ｃ、２６ｄ  角部
２７ａ、２７ｂ、２７ｃ、２７ｄ  角部
２９ａ、２９ｂ、２９ｃ、２９ｄ  角部
３１ａ、３１ｂ、３１ｃ、３１ｄ  角部（内端部）
３２ａ、３２ｂ、３２ｃ、３２ｄ  角部（内端部）
６０、６０ａ、６０ｂ、６０ｃ、６０ｄ  センサ（スイッチ）
【図１】
2009284431.tif 000003
【図２】
2009284431.tif 000004
【図３】
2009284431.tif 000005
【図４】
2009284431.tif 000006
【図５】
2009284431.tif 000007
【図６】
2009284431.tif 000008
【図７】
2009284431.tif 000009
【図８】
2009284431.tif 000010
【図９】
2009284431.tif 000011
【図１０】
2009284431.tif 000012
【図１１】
2009284431.tif 000013
【図１２】
2009284431.tif 000014
【図１３】
2009284431.tif 000015